(57)【要約】【課題】バックライトユニットを提供する。【解決手段】導光板と、前記導光板の縁に光を投射する少なくとも一つの点光源と、前記点光源と前記導光板との間に設けられて前記点光源から放出された光を光軸側に屈折させることにより前記導光板に入射される光の方位角を狭める屈折部材とを含む。前記屈折部材は、頂点が前記導光板の縁側を向くV字状のプリズムパターンが反復配列されたプリズムアレイを含み、前記点光源の光軸の付近の光が前記プリズムパターンにより全反射されることを防止する投光部をさらに備えうる。【選択図】      図６
2004158452.tif 000002
【特許請求の範囲】
【請求項１】
導光板と、
前記導光板の縁に光を投射する少なくとも一つの点光源と、
前記点光源と前記導光板との間に設けられて前記点光源から放出された光を光軸側に屈折させることにより前記導光板に入射される光の方位角を狭める屈折部材とを含むバックライトユニット。
【請求項２】
前記屈折部材は、
頂点が前記導光板の縁側を向くV字状のプリズムパターンが反復配列されたプリズムアレイを含むことを特徴とする請求項１に記載のバックライトユニット。
【請求項３】
前記屈折部材は、
前記点光源と前記導光板との間に設けられる投光体をさらに備え、
前記プリズムアレイはプリズムシート形態に製作されて前記投光体に付着されることを特徴とする請求項２に記載のバックライトユニット。
【請求項４】
前記プリズムの頂点角は80〜120°であることを特徴とする請求項２に記載のバックライトユニット。
【請求項５】
前記屈折部材は、
前記点光源の光軸の付近の光が前記プリズムパターンにより全反射されることを防止する投光部をさらに備えることを特徴とする請求項２に記載のバックライトユニット。
【請求項６】
前記投光部は前記プリズムアレイの前記点光源の光軸から所定角度範囲のプリズムパターンを省略することにより形成されることを特徴とする請求項５に記載のバックライトユニット。
【請求項７】
前記投光部は前記点光源の光軸から所定角度範囲の前記プリズムアレイを除去することにより形成されることを特徴とする請求項５に記載のバックライトユニット。
【請求項８】
前記投光部の幅は前記導光板に入射される光の半値角が最小になる幅と単位立体角当たりの光束が最大になる幅との間で決定されることを特徴とする請求項５に記載のバックライトユニット。
【請求項９】
前記投光部は、前記点光源から放出された光の光軸から±12°範囲の光を通過させ得るように形成されることを特徴とする請求項５に記載のバックライトユニット。
【請求項１０】
前記屈折部材は前記導光板と一体に形成されることを特徴とする請求項５に記載のバックライトユニット。
【請求項１１】
前記導光板には回折格子構造を有するホログラムパターンが形成されたことを特徴とする請求項１に記載のバックライトユニット。
【請求項１２】
導光板と、
前記導光板の縁に光を投射する少なくとも一つの点光源とを含み、
前記導光板には前記点光源から放出された光を光軸側に屈折させることにより前記導光板に入射される光の方位角を狭める屈折部材が形成されたことを特徴とするバックライトユニット。
【請求項１３】
前記屈折部材は、
前記導光板の前記点光源と対面した縁から所定間隔離隔された位置で前記導光板を垂直に貫通する中空部と、
前記中空部の前記点光源と対面した縁に形成され、頂点が内側を向くV字状のプリズムパターンが反復配列されたプリズムアレイとを含むことを特徴とする請求項12に記載のバックライトユニット。
【請求項１４】
前記屈折部材は、
前記点光源の光軸の付近の光が前記プリズムパターンにより全反射されることを防止する投光部をさらに備え、
前記投光部は前記プリズムアレイの前記点光源の光軸から所定角度範囲のプリズムパターンを省略することにより形成されることを特徴とする請求項13に記載のバックライトユニット。
【請求項１５】
前記導光板には回折格子構造を有するホログラムパターンが形成されたことを特徴とする請求項12に記載のバックライトユニット。
【発明の詳細な説明】
【技術分野】
【０００１】
本発明はバックライトユニットに係り、特に導光板LGPと点光源とを使用する縁発光型バックライトユニットに関する。
【背景技術】
【０００２】
一般的に平板ディスプレイは広く発光型と、受光型とに分類される。発光型には陰極線管、プラズマ表示装置、電子発光素子、蛍光表示装置等がある。液晶表示装置のような受光型平板表示素子は、それ自体が発光して画像を形成することができず、外部から光が入射されて画像を形成する。そのため、暗い所では画像を観察することができない。従って、受光型平板表示素子の背面に、バックライトユニットを設け、光を照射する。バックライトユニットは、液晶表示装置のような受光型ディスプレイ以外にも照明看板のような面光源装置にも使用されている。
【０００３】
バックライトユニットは光源の配置形態により、液晶表示装置の直ぐに下に設けられた多数のランプが光を液晶パネルに直接照射する直下発光型と、導光板LGP（light guide panel）の側壁に設けられたランプが光を照射して液晶パネルに伝達する縁発光型とに分類される。
縁発光型は光源として線光源と点光源とを使用できる。代表的な線光源としては両端部の電極が管内に設けられる冷陰極蛍光ランプCCFL(Cold  Cathode  Fluorescent  Lamp)があり、点光源としては発光ダイオードLED(Light  Emitting  Diode)がある。CCFLは強い白色光を放出でき、高輝度と高均一性とを得ることができ、大面積化設計が可能であるという長所があるが、高周波交流信号により作動され、作動温度範囲が狭いという短所がある。LEDは輝度と均一性の面でCCFLに比べて性能が劣るが、直流信号により作動され、寿命が長く、作動温度範囲が広い。又、薄型化が可能であるという長所を有する。
【０００４】
導光板は縁発光型バックライトユニットに使用されるものであって、線光源又は点光源から縁を通じて入射された光を面光に変換して垂直方向に出光させるものであって、PMMA(polymethyl  methacrylate)のような光透過率が高いアクリル系透明樹脂やオレフィン系透明性樹脂等で製作される。導光板には縁を通じて入射された光を出光面に射出させるために散乱パターン又はホログラムパターンが設けられる。
【０００５】
図１は点光源を使用する従来の縁発光型バックライトユニットの概略的な斜視図であり、図２は図１に示された縁発光型バックライトユニットの断面図である。図１に示したように、導光板10の縁11に点光源として3個のLED20が設けられる。導光板10の底面にはLED20から入射された光を出光面12に放出させるためのホログラムパターン30が形成されている。
【０００６】
LED20は導光板10の縁11の方向に光を放出する。LED20は点光源なので、図３に示されたように光軸を中心に方位角±90°の範囲に光を放出する。この際、光の強度の最大値Ｉmaxの半分に該当する強度Imax/2の光が放出される方位角を放射角という。LEDの場合には普通放射角が約±45°程度になる。
LED20から放出された光は縁11を通じて導光板10から入射されてホログラムパターン30に入射される。ホログラムパターン30は光軸21に直角方向に形成された回折格子構造であり、入射された光を面光（surface  light）に変換させて導光板10の上面である出光面12に放出させる。ホログラムパターン30は、光がホログラムパターン30と90°の角度に入射される場合に最も高い効率で光を放出できる。又、ホログラムパターン30に入射される光の入射方位角分布が小さい程出光面12での均一な輝度を得ることができる。出光面12の輝度が均一でなければ画面がしましまに見える。約１cm程度の狭い範囲では0.9程度の輝度変化が縞と感知されるが、画面の中央部から先端部まで緩慢に輝度変化がある場合には、0.8程度であっても輝度変化の縞は感知されない。従って、0.8以上の輝度均一性が要求され、良質の画質を得るためには0.9以上の輝度均一性が要求される。
【０００７】
図４は図１に示された従来のバックライトユニットによる出光分布を示す図面であって、導光板10をLED20が設けられた縁11から順に、入光部40、中央部50、対向部60の領域に分けて出光面12から放出される光の出光分布が砂模様により示されている。図４に示したように、入光部40に比べて中央部50と対向部60とで広い出光分布を有する。
図５は図１に示された縁発光型バックライトユニットによる出光面12での輝度を示すグラフである。縦軸は輝度を表示し、横軸は出光面12での光射出角を半値角FWHM(full  width  half  maximum)として表示したものである。三本の曲線C1,C2,C3は左側から各々入光部40、中央部50、対向部60の輝度を示すものである。図５に示したように入光部40の輝度が中央部50と対向部60の輝度よりさらに高いということが分かる。ＦＷＨＭ又入光部では20°/20°であるが、中央部50と対向部60では20°/35°とでより広く示される。20°/35°で先の20°と後の35°とは各々図４でX方向とY方向のＦＷＨＭを表示したものである。
【０００８】
このように輝度が不均一なのは、中央部50や対向部60でホログラムパターン30に入射される光の方位角の分布が入光部40でのそれより大きいからである。即ち、LED20で入光部４０より遠い離れた中央部50と対向部60とでは図２に示されたように多数回の反射過程を経ながら多様な方位角を有した光がホログラムパターン30で入射されるからである。こうした輝度の不均一性は導光板10に入射される光の方位角が広くなる程さらにはげしくなる。
【０００９】
前述したような問題点はホログラムパターンを使用する導光板だけではなく、散乱パターンを使用する導光板でも同様に示される。
【発明の開示】
【発明が解決しようとする課題】
【００１０】
本発明の技術的課題は、点光源から導光板に入射される光の方位角を狭めることにより出光面の輝度均一性を向上させることができるように改善された縁発光型バックライトユニットを提供するところにある。
【課題を解決するための手段】
【００１１】
前記技術的課題を達成するために本発明のバックライトユニットは、導光板と、前記導光板の縁に光を投射する少なくとも一つの点光源と、前記点光源と前記導光板との間に設けられて前記点光源から放出された光を光軸側に屈折させることにより前記導光板に入射される光の方位角を狭める屈折部材と、を含む。
前記屈折部材は、頂点が前記導光板の縁側を向くV字状のプリズムパターンが反復配列されたプリズムアレイを含む。前記プリズムの頂点角は80〜120°であることが望ましい。
【００１２】
前記屈折部材は、前記点光源と前記導光板との間に設けられる投光体をさらに備え、前記プリズムアレイはプリズムシート形態に製作されて前記投光体に付着されうる。
前記屈折部材は、前記点光源の光軸の付近の光が前記プリズムパターンにより全反射されることを防止する投光部をさらに備えることが望ましい。前記投光部は前記プリズムアレイの前記点光源の光軸から所定角度範囲のプリズムパターンを省略することにより形成され、前記点光源の光軸から所定角度範囲の前記プリズムアレイを除去することにより形成されうる。前記投光部の幅は前記導光板に入射される光のＦＷＨＭが最小になる幅と単位立体角当たりの光束が最大になる幅の間で決定されることが望ましい。前記投光部は前記点光源から放出された光の光軸から±12度範囲の光を通過させ得るように形成されうる。前記屈折部材は前記導光板と一体に形成されうる。
【００１３】
前記導光板には回折格子構造を有するホログラムパターンが形成されうる。
前記技術的課題を達成するための本発明の他の特徴によるバックライトユニットは、導光板と、前記導光板の縁に光を投射する少なくとも一つの点光源とを含み、前記導光板には前記点光源から放出された光を光軸側に屈折させることにより前記導光板に入射される光の方位角を狭める屈折部材が形成されたことを特徴とする。
【００１４】
前記屈折部材は、前記導光板の前記点光源と対面した縁から所定間隔離隔された位置で前記導光板を垂直に貫通する中空部と、前記中空部の前記点光源と対面した縁に形成され、頂点が内側を向くV字状のプリズムパターンが反復配列されたプリズムアレイとを含む。
前記プリズムの頂点角は80〜120°であることが望ましい。
【００１５】
前記屈折部材は、前記点光源の光軸の付近の光が前記プリズムパターンにより全反射されることを防止する投光部をさらに備えることが望ましい。前記投光部は前記プリズムアレイの前記点光源の光軸から所定角度範囲のプリズムパターンを省略することにより形成されうる。前記投光部の幅は前記導光板に入射される光のＦＷＨＭが最小になる幅と単位立体角当たりの光束が最大になる幅との間で決定されることが望ましい。前記投光部は、前記点光源から放出された光の光軸から±12°範囲の光を通過させ得るように形成されうる。
【００１６】
前記導光板には回折格子構造を有するホログラムパターンが形成されうる。
【発明の効果】
【００１７】
本発明に係るバックライトユニットによると、次の通りの効果を得ることができる。
一番目、導光板に入射される光の放射角を狭めることにより導光板全領域にかけてホログラムパターンに入射される光の入射方位角の分布を均一にできる。従って、出光面に放出される光の強度分布が均一になって出光面の輝度均一性が向上される。
二番目、光源の光軸の付近の光は投光部を通過させることにより光軸付近の光がプリズムパターンにより全反射されて輝度が低下することを防止できる。
【００１８】
三番目、特にホログラムパターンを用いる場合にはこのホログラムパターンに入射される光の入射方位角を一定に維持することにより、出光面に放出される光の放出効率を極大化できる。従って、出光面の輝度を向上させ得る。
【発明を実施するための最良の形態】
【００１９】
以下、添付した図面を参照しながら本発明の望ましい実施例を詳細に説明する。
図６は本発明に係るバックライトユニットの第１実施例を示した概略的な斜視図であり、図７は図６の平面図である。
図６と図７に示したように、導光板110の縁111に点光源として3個のLED120が設けられ、導光板110とLED120との間にはプリズムアレイ200が設けられる。又、前記点光源120の光軸121が通過される近軸領域にはプリズムパターン201が形成されていない投光部202が設けられる。導光板110の底面にはホログラムパターン130が形成されている。
【００２０】
導光板110は光を透過させ得る投光性材料で製作されるが、主に屈折率が1.49、比重が1.19程度であるアクリル系透明樹脂が使用され、軽量化のため比重が1.0であるオレフィン系透明性樹脂もが使用できる。導光板110の厚さは普通2〜3mm程度であり、重量を減らすため光が入射される縁から遠くなる程厚さが次第に薄くなる楔型を使用することもできる。導光板110の大きさは出光面112側に設けられる画像表示装置(図示せず)、例えばLCD(liquid  crystal  display)の大きさに左右される。
【００２１】
LED120は点光源の一例として発光ダイオードをいう。LED120は図３に示されたように光軸を中心に方位角±90°の範囲に光を放出する。この際、光の強度の最大値Ｉmaxの半分に該当する強度Imax/2の光が放出される角度を放射角とし、LEDの場合には普通放射角が約±45°程度になる。本実施例では導光板110の縁111側に3個のLED120を設けられたが、LED120の個数は導光板110の大きさと要求される輝度とに依存するためさらに多いLED120を設けることもできる。LED120は導光板110の他の縁にもさらに設けられうる。
【００２２】
ホログラムパターン130は導光板110の縁111を通じて入射された光を出光面112に放出させるための手段の一例であり、図６では導光板110の底面に設けられる。ホログラムパターン130は例えば、周期0.4mm、深さ0.2mm程度の回折格子構造を有することができる。導光板110には入射された光を垂直散乱させて出光面112を通じて放出させる散乱パターンが設けられるもする。散乱パターンの種類と原理とは当業者によく知られているためこれ以上の説明は省略する。
【００２３】
プリズムアレイ200はLED120から放出された光を光軸側に屈折させる屈折部材の一構成要素であり、図６と図７とに示されたように導光板110の縁111に沿ってV字状のプリズムパターン201が反復配列されたものである。このV字の角度を多様に変えることで光の放射角を多様に変えることができる。プリズムパターン201の頂点は導光板110の縁111側を向くように形成される。プリズムパターン201の頂点角(apex  angle)は導光板110に入射される光の放射角をどの位狭めうるものかにより多様な角度範囲を使用できる。プリズムアレイ200は導光板110のようにアクリル系透明樹脂やオレフィン系透明樹脂等を切削加工するか、又は射出成形することにより製作されうる。
【００２４】
LED120から放出された光の中で近軸領域の光はプリズムアレイ200で全反射されうる。このようになれば、導光板110に入射される光量が減少して出光面112の輝度が低下しうる。こうした輝度低下を防止するため、屈折部材は近軸領域の光を通過させる投光部202をさらに備えることができる。投光部202は図６に示されたようにプリズムアレイ200のプリズムパターン201を一部除去することにより、プリズムアレイ200と一体に形成されうる。図面に示されていないが、投光部202はプリズムアレイ200の一部分を所定の幅程切り出すことにより形成されもする。
【００２５】
投光部202は各LED120の光軸121を中心に所定の幅程形成されることが望ましい。投光部202の幅はおおよそLED120の光軸121から約±12°範囲の光が通過されうるように形成されることが望ましいが、単位立体角当たりの光束とＦＷＨＭと総光量とを考慮して実験により決定される。
図８は投光部の最適幅を求めるための実験装置の例である。図８に示したように、二本のプリズムアレイ210,220を距離d1程離隔させて配置して投光部230を形成し、プリズムアレイ210,220から左側に距離d2程離れた所にLED240を設ける。この際、LED240の光軸241がd/2位置を通過するようにする。この状態でLED240から光を照射してプリズムアレイ210,220の間の距離d1を変化させながらプリズムアレイ210,220と投光部230とを通過した光量を測定する。
【００２６】
図９はd2を5mmとした場合のプリズムアレイ210,220の間の距離d1とプリズムアレイ210,220を通過した光量との関係を示したグラフである。3本の曲線C4,C5,C6は各々プリズムアレイ210,220と投光部230とを通過した総光量、ＦＷＨＭ、単位立体角当たりの光束を示したものである。ここで、総光量と単位立体角当たりの光束とが大きく、ＦＷＨＭが小さいことが有利である。図９を見ると、d1/2=1mmである場合、即ちプリズムアレイ210,220とLED20との距離d2=5mmである時には、投光部230の幅d1=2mm程度であることが最適である。この際、投光部230を通過する光の光軸からの角度A6は約±12°程度になる。
【００２７】
以下、このような構成による作用効果を説明する。図７に示したように、LED120から放出された光はプリズムアレイ200に入射される。前述したようにLED120は点光源なので、プリズムアレイ200に対向して方位角±90°の範囲に光を放出する。しかし、LED120から放出された光のエネルギーの大部分は放射角A1の範囲内に含まれているため放射角A1の範囲のみを矢印表示として示す。
【００２８】
光が屈折率の相異なる媒質の境界面を通過する時には、屈折されて入射角と透過角とが変わる。光が屈折率の低い媒質から大きい媒質に進む場合に、透過光は入射光より境界面に垂直な線側に近づくように屈折される。即ち、透過角が入射角より小さくなる。しかし、屈折率が高い媒質から低い媒質に進む場合には、透過光は入射光より境界面に垂直な線から遠くなるように屈折される。即ち、透過角が入射角より大きくなる。プリズムアレイ200はこのように相異なる媒質に進む光の屈折現象を用いたものである。
【００２９】
図10はプリズムアレイ200を通過する光の屈折現象を詳細に示した図面である。図10に示したように、プリズムアレイ200の頂点204が導光板110側に向くように配置され、LED120とプリズムアレイ200の間及びプリズムアレイ200と導光板110との間にはプリズムアレイ200より屈折率が低い媒質、例えば空気が介在される。
LED120から放出された放射角A1である入射光L1がプリズムアレイ200の入光面206に入射される。光L1は屈折率が低い媒質から屈折率が高い媒質に進むため光L1は入光面206を通過しながら入光面206に垂直な線P1側に屈折されて放射角がA2である光L2になる。光L2は再び傾斜面203に入射される。この際には光L2は屈折率が高い媒質から屈折率が低い媒質に進むため光L2は傾斜面203を通過しながら傾斜面203に垂直な線P2から遠くなる側に屈折されて放射角A3である光L3になる。光L3は再び導光板110に入射される。この場合は、光L1と光L2の場合と同様に屈折されて放射角A4である光L4になる。ここで放射角はA1>A2>A3>A4になる。従って、導光板110に入射される光L4の放射角A4はLED120から放出された光L1の放射角A1よりB1+B2+B3程小さくなる。場合によっては、透過光L2は光軸121に平行になることもある。
【００３０】
このように、プリズムアレイ200に入射された光の中で光軸付近の光は投光部202を通過し、残りの光はプリズムパターン201を通過しながら屈折される。従って、図７で示したように放射角がA1からA4に狭められる。
図11はプリズムアレイ200の頂点角205を変化させながら、LED120から放出されてプリズムアレイ200に入射される光の方位角とプリズムアレイ200から射出される光の方位角との関係を示したグラフである。図11には頂点角205が各々80,90,100,110,120°であるプリズムアレイ200を使用した場合及びプリズムアレイ200を使用していない場合（NO PS）の入射方位角と射出方位角との関係を示した。図11に示したように、プリズムアレイ200を使用すれば、そうではない場合に比べて射出方位角の範囲が小さくなるものを見られる。また、図９より頂点角205が80°〜120°の範囲内であれば、射出方位角が広がらず好ましいと分かった。さらに、例えば、頂点角205が90°である場合には、入射方位角0〜50°に入射された光が全て射出方位角±15°の範囲に射出されたことが分かる。
【００３１】
プリズムアレイ200を通過して導光板110に入射された光は導光板110の底面に形成されたホログラムパターン130により回折されて出光面112に放出される。
図12と図13とは図１に示された従来のバックライトユニットによる入光部と対向部での輝度測定結果を各々示したグラフであり、図14と図15とは図６に示された本発明に係るバックライトユニットの第１実施例による入光部と対向部とでの輝度測定結果を各々示したグラフである。図12と図13とに示したように、対向部の輝度分布が入光部の輝度分布より広く示されている。しかし、図14と図15とに示したように、入光部140と対向部150の輝度分布の差異がかなり小さくなることが分かる。これは、プリズムアレイ200を用いて導光板110に入射される光の方位角を狭めることにより、ホログラムパターン130に入射される光の入射方位角分布が入光部140と対向部150とで殆ど同一になったことを意味する。このようになれば、出光面112の輝度均一性が向上される。又、本実施例による投光部202はLED120の光軸付近の光を全反射なしでそのまま通過させて光透過率を高める。これにより、出光面112での輝度を向上させ得る。
【００３２】
実験結果によると、本実施例によるバックライトユニットの出光面112での輝度は従来のバックライトユニットに比べて約15%程度さらに明るくなったことが分かる。
図16は本発明に係るバックライトユニットの第２実施例を示したものである。
図16に示されたバックライトユニットはプリズムアレイ300であって棒状の投光体310にプリズムシート320を付着したものを使用する。投光体310は導光板110のような材質を使用して切削加工又は射出成形することにより製作されうる。プリズムシート320は光を透過させる透明シートにプリズム構造を形成したものであって、例えばPETフィルムをベースとしてその表面にアクリル系樹脂層をコーティングすることによりプリズム構造を形成できる。この際にも、前述した本発明に係るバックライトユニットの第１実施例でのように、投光部330はプリズムアレイ300のプリズムパターンを一部削除することにより、プリズムアレイ300と一体に形成されうる。図面に示されていないが、投光部330はプリズムアレイ300の一部分を所定の幅程切り出すことにより形成されもする。
【００３３】
図17は本発明に係るバックライトユニットの第３実施例を示したものである。
示されたバックライトユニットはプリズムアレイ400を導光板500と一体に形成したものである。図17に示したように、導光板500の縁501から内側に所定間隔離隔された位置で導光板500を垂直に貫通する中空部410が形成される。中空部410の左側辺にはV字状のプリズムパターンが反復配列されたプリズムアレイ400が形成される。中空部410は導光板500やプリズムアレイ400より屈折率が低い媒質、例えば空気で充填される。プリズムアレイ400で光軸121の付近のプリズムパターンは省略することにより投光部420が形成されうる。このように、プリズムアレイ400と一体に形成された導光板500は切削加工や射出成形により製作されうる。また、第３実施例のバックライトユニットは、一体に形成されているので取り扱いが容易である。
【００３４】
このような本発明に係るバックライトユニットの第２実施例及び第３実施例によると、前述した本発明に係るバックライトユニットの第１実施例でのような効果を得ることができる。
本発明は前記に説明され、図面に例示されたことにより限定されることではなく、次に記載される特許請求の範囲内でより多い変形及び変容例が可能なことは勿論である。
【産業上の利用可能性】
【００３５】
本発明は平板ディスプレイに効果的に適用可能である。
【図面の簡単な説明】
【００３６】
【図１】点光源を使用する従来の縁発光型バックライトユニットの概略的な斜視図である。
【図２】図１に示された縁発光型バックライトユニットの断面図である。
【図３】LEDの方位角を示すグラフである。
【図４】図１に示された従来のバックライトユニットによる出光分布を示す図面である。
【図５】図１に示された従来のバックライトユニットによる出光面での正面輝度を示すグラフである。
【図６】本発明によるバックライトユニットの第１実施例を示した概略的な斜視図である。
【図７】図６に示された本発明に係るバックライトユニットの第１実施例の平面図である。
【図８】投光部の幅を求めるための実験装置の例を示した平面図である。
【図９】投光部の幅とプリズムアレイとを通過した光量との関係を示したグラフである。
【図１０】プリズムアレイを通過する光の屈折現象を詳細に示した図面である。
【図１１】プリズムの頂点角を変化させつつLEDから放出されてプリズムアレイに入射される光の方位角とプリズムアレイから射出される光の方位角との関係を示したグラフである。
【図１２】図１に示された従来のバックライトユニットによる入光部での輝度測定結果を示したグラフである。
【図１３】図１に示された従来のバックライトユニットによる対向部での輝度測定結果を示したグラフである。
【図１４】図６に示された本発明に係るバックライトユニットの第１実施例による入光部での輝度測定結果を各々示したグラフである。
【図１５】図６に示された本発明に係るバックライトユニットの第１実施例による対向部での輝度測定結果を各々示したグラフである。
【図１６】本発明に係るバックライトユニットの第２実施例を示した平面図である。
【図１７】本発明に係るバックライトユニットの第３実施例を示した平面図である。
【符号の説明】
【００３７】
１１０    導光板
１１１    縁
１２０    LED又は点光源
１２１    光軸
１３０    ホログラムパターン
２００    プリズムアレイ
２０１    プリズムパターン
２０２    投光部
【図１】
2004158452.tif 000003
【図２】
2004158452.tif 000004
【図３】
2004158452.tif 000005
【図４】
2004158452.tif 000006
【図５】
2004158452.tif 000007
【図６】
2004158452.tif 000008
【図７】
2004158452.tif 000009
【図８】
2004158452.tif 000010
【図９】
2004158452.tif 000011
【図１０】
2004158452.tif 000012
【図１１】
2004158452.tif 000013
【図１２】
2004158452.tif 000014
【図１３】
2004158452.tif 000015
【図１４】
2004158452.tif 000016
【図１５】
2004158452.tif 000017
【図１６】
2004158452.tif 000018
【図１７】
2004158452.tif 000019